(57)【要約】【課題】  使用時に臀部が冷えず、着座時に安定する浴室用椅子を提供する。【解決手段】  浴室用椅子１０の座部１４は凹形状を有し、略矩形状の底面部２５と、底面部２５の後縁から立ち上がる背面部２４と、底面部２５の両側縁から立ち上がる側面部２３と、底面部２５の前縁から立ち上がる前面部２６とから形成される。底面部２５は、着座した際、臀部７２で塞ぐことができる位置及び大きさの開口１７ａ及び１７ｂを備えている。これにより、座部１４に湯を注いだ後、着座して使用する湯が保持された状態となり臀部７２が冷えない。又、不使用時には開口１７ａ及び１７ｂから湯等が完全に抜けるので清潔さが維持できる。【選択図】      図１
2008212507.tif 000002
【特許請求の範囲】
【請求項１】
浴室用椅子であって、
下方に凹んだ形状を有し、非透水性又は半透水性材料よりなる座部と、
前記座部に注がれた湯等を下方に排出する機能を有すると共に、着座した際にのみ前記湯等の下方への排出を阻止する排出制御手段とを備えた、浴室用椅子。
【請求項２】
前記排出制御手段は、前記座部の下方部分に形成され、着座した際、臀部で塞ぐことができる位置及び大きさの少なく共１つの開口からなる、請求項１記載の浴室用椅子。
【請求項３】
前記開口は、座部に一杯に注がれた湯等が完全に排水されるのに要する時間が５〜１０秒となるようにその大きさが設定される、請求項２記載の浴室用椅子。
【請求項４】
前記座部は、合成樹脂の一体成形よりなり、ほぼ矩形状の底面部と、前記底面部の後縁から立上がる背面部と、前記底面部の両側縁から立上がる側面部と、前記底面部の前縁から立上がる前面部とからなる、請求項１から請求項３のいずれかに記載の浴室用椅子。
【請求項５】
前記座部の周りに一体となって形成される周壁は、前記前面部の上縁に接続され、着座時に大腿部を支持する一対の凹状の足乗せ部を備える、請求項４記載の浴室用椅子。
【請求項６】
前記座部は、木製平板上に形成される皿状の溝よりなり、ほぼ平坦な底面部と、前記底面部の後縁から立上がる背面部と、前記底面部の両側縁から立上がる側面部と、前記底面部の前縁から立上がる前面部とからなる、請求項１から請求項３のいずれかに記載の浴室用椅子。
【発明の詳細な説明】
【技術分野】
【０００１】
この発明は浴室用椅子に関し、特に、浴室内で腰掛けて使用する浴室用椅子に関するものである。
【背景技術】
【０００２】
図９は従来の浴室用椅子の外観形状を示した斜視図である。
【０００３】
図を参照して、浴室用椅子４０は合成樹脂の一体成形よりなり座部４４と脚部５１ａ〜５１ｄと周壁５７ａ〜５７ｄとから形成されている。座部４４は平面視長方形で構成され、使用者が着座しやすいように緩やかな皿溝状に形成され、更に、その隅角部が丸く仕上げられている。そして、座部４４の中心部には平面視略楕円形状の大きい開口４７が形成され、座部４４に溜まる洗浄水を流出させるために形成されている。又、脚部５１は周壁５７に繋がって形成され、座部４４の隅角部に沿って平面視Ｌ字状に各々形成されている。更に、脚部５１と周壁５７は上方内方に立上がる形状となっているので安定性がよい形状となっている。
【発明の開示】
【発明が解決しようとする課題】
【０００４】
上記のような従来の浴室用椅子では、使用時に臀部が冷え、特に、長時間かけて浴室用椅子に着座する染毛時等に臀部が冷えていた。更に、背もたれ等がないので臀部の位置の安定性が悪かった。
【０００５】
この発明は、上記のような課題を解決するためになされたもので、使用時に臀部が冷えにくい浴室用椅子を提供することを目的とする。
【課題を解決するための手段】
【０００６】
上記の目的を達成するために、請求項１記載の発明は、浴室用椅子であって、下方に凹んだ形状を有し、非透水性又は半透水性材料よりなる座部と、座部に注がれた湯等を下方に排出する機能を有すると共に、着座した際にのみ湯等の下方への排出を阻止する排出制御手段とを備えたものである。
【０００７】
このように構成すると、使用時にのみ座部に湯等が保持される。
【０００８】
請求項２記載の発明は、請求項１記載の発明の構成において、排出制御手段は、座部の下方部分に形成され、着座した際、臀部で塞ぐことができる位置及び大きさの少なく共１つの開口からなるものである。
【０００９】
このように構成すると、使用時に確実に開口が塞がれる。
【００１０】
請求項３記載の発明は、請求項２記載の発明の構成において、開口は、座部に一杯に注がれた湯等が完全に排水されるのに要する時間が５〜１０秒となるようにその大きさが設定されるものである。
【００１１】
このように構成すると、座部の湯等が一定時間残存する。
【００１２】
請求項４記載の発明は、請求項１から請求項３のいずれかに記載の発明の構成において、座部は、合成樹脂の一体成形よりなり、ほぼ矩形状の底面部と、底面部の後縁から立上がる背面部と、底面部の両側縁から立上がる側面部と、底面部の前縁から立上がる前面部とからなるものである。
【００１３】
このように構成すると、使用時に臀部の位置が固定される。
【００１４】
請求項５記載の発明は、請求項４記載の発明の構成において、座部の周りに一体となって形成される周壁は、前面部の上縁に接続され、着座時に大腿部を支持する一対の凹状の足乗せ部を備えるものである。
【００１５】
このように構成すると、着座時に大腿部が邪魔にならない。
【００１６】
請求項６記載の発明は、請求項１から請求項３のいずれかに記載の発明の構成において、座部は、木製平板上に形成される皿状の溝よりなり、ほぼ平坦な底面部と、底面部の後縁から立上がる背面部と、底面部の両側縁から立上がる側面部と、底面部の前縁から立上がる前面部とからなるものである。
【００１７】
このように構成すると、使用時に臀部の位置が固定される。
【発明の効果】
【００１８】
以上説明したように、請求項１記載の発明は、使用時にのみ座部に湯等が保持されるので、使用時には臀部が冷えず、不使用時には排出されるので清潔さが維持できる。
【００１９】
請求項２記載の発明は、請求項１記載の発明の効果に加えて、使用時に確実に開口が塞がれるので、個人差の影響が少なく安定した性能を発揮する。
【００２０】
請求項３記載の発明は、請求項２記載の発明の効果に加えて、座部に湯等を溜めてから着座するまでの間に湯等が抜けきらないため、使用勝手がよい。
【００２１】
請求項４記載の発明は、請求項１から請求項３のいずれかに記載の発明の効果に加えて、使用時に臀部の位置が固定されるので、臀部が安定し座りやすくなる。
【００２２】
請求項５記載の発明は、請求項４記載の発明の効果に加えて、着座時に大腿部が邪魔にならないので、腿部が痛くならず、極度に膝を曲げる必要がないので長時間座っていても楽であり、更に、浴室用椅子の前後が明確になる。
【００２３】
請求項６記載の発明は、請求項１から請求項３のいずれかに記載の発明の効果に加えて、使用時に臀部の位置が固定されるので、臀部が安定し座りやすくなる。
【発明を実施するための最良の形態】
【００２４】
図１はこの発明の第１の実施の形態による浴室用椅子の外観形状を示した斜視図であり、図２は図１で示した浴室用椅子の平面図であり、図３は図１で示した浴室用椅子の正面図であり、図４は図２で示したＩＶ−ＩＶラインの断面図であり、図５は図２で示したＶ−Ｖラインの断面図である。
【００２５】
これらの図を参照して、浴室用椅子１０は、非透水性材料の合成樹脂の一体成形よりなり、座部１４と周壁２７ａ〜２７ｄと脚部２１ａ〜２１ｄとが一体となって、平面視略長方形形状に形成される。
【００２６】
まず、座部１４について説明する。
【００２７】
座部１４は、平面視コの字状の座枠１６ａ〜１６ｃよりも低い位置に凹形状で形成され、略矩形形状の底面部２５と、底面部２５の後縁から上方外方の座枠１６ｃに向かって立上がる背面部２４と、底面部２５の両側縁から上方外方の座枠１６ａ及び１６ｃに向かって立上がる側面部２３ａ及び２３ｂと、底面部２５の前縁から上方外方の足乗せ部１９ａ及び１９ｂに向かって立上がる前面部２６とから形成される。これによって、使用時に臀部７２の位置が固定され、安定するので座りやすくなる。更に、底面部２５には、湯等８１を排出するための１対の開口１７ａ及び１７ｂが形成される。この開口１７ａ及び１７ｂは、使用時に臀部７２で塞ぐことができる位置及び大きさで構成され、各々が平面視円形状で形成されるが、その詳細については後述する。
【００２８】
次に、足乗せ部１９ａ及び１９ｂについて説明する。
【００２９】
足乗せ部１９ａ及び１９ｂは、前面部２６の上縁に接続して緩やかな勾配で形成され、正面視において大腿部を支持する１対の凹形状で構成されている。そのため、膝を極度に曲げる必要がなく、長時間座っていても大腿部や臀部が痛くならない。更に、足乗せ部１９ａ及び１９ｂは浴室用椅子１０の正面側にしか形成されないので、浴室用椅子１０の前後方向が明確に分かる。
【００３０】
脚部２１ａ〜２１ｄは、図８で示した従来の浴室用椅子４０の脚部５１ａ〜５１ｄと略同一形状に形成されている。
【００３１】
又、浴室用椅子１０は、脚部２１を除いて、隅角部が丸く形成されている。これにより、座り心地がよくなり清掃しやすくなる。
【００３２】
図６はこの発明の第１の実施の形態による浴室用椅子の使用状態を説明するための図５に対応した断面図であって、その（１）は、使用前に座部に湯等を注いだときの状態を示した図であり、その（２）は、浴室用椅子を使用している状態を示した図である。図７はこの発明の実施の形態による浴室用椅子の使用状態を説明するための図４に対応した断面図であって、浴室用椅子を使用している状態を示した図である。
【００３３】
これらの図を参照して、開口１７ａ及び１７ｂは、臀部７２ａ及び７２ｂで塞がれる底面部２５の位置であって最低位に平面視円形状で１対で形成される。これによって、座部１４の湯等８１を完全に排出することができる。更に、開口１７は、座部１４に一杯に注がれた湯等８１が、完全に排水されるのに５〜１０秒かかるような大きさで形成されている。このように開口１７を設定するのは、座部１４に湯等８１を溜めてから５〜１０秒あれば十分着座でき、更に、水面が若干下がっても、着座すれば座部１４の上端部で水位が上昇することからである。又、使用していないときに湯等８１が長時間溜まっているのは不衛生である。このことから、使用時には座部１４に湯等８１が溜まるので臀部７２が冷えず、不使用時には開口１７から湯等８１が排出するので清潔さが保たれる仕組みとなっている。尚、５〜１０秒以内に着座できなくとも、着座した後に座部１４に湯を注いで溜めるようにしても良い。
【００３４】
図６の（１）に示されるように、使用前には、浴室用椅子１０の座部１４に湯等８１を一杯に注ぐと、開口１７ａ及び１７ｂから少しずつ湯等８１が抜けていくので水深はＤ１となる。又、図６の（２）及び図７を参照して、二点鎖線で示されるのは浴室用椅子１０を使用している人体７１である。浴室用椅子１０の座部１４に腰を下ろすと、開口１７ａ及び１７ｂは臀部７２ａ及び７２ｂで塞がれるので、湯等８１の開口１７ａ及び１７ｂからの排出が停止する。更に、座部１４に腰を下ろすことによって、逆に水位が上昇し、結局座部１４の使用時は、余分な湯等８１が座枠１６を超えて溢れ出るので水深Ｄ2となる。これは座部１４に腰を下ろしたときの満杯状態の水深である。このことから、臀部７２が湯等８１に水深Ｄ２だけ浸かる状態が保たれるので、臀部７２が冷えることはない。
【００３５】
図８はこの発明の第２の実施の形態による浴室用椅子の外観形状を示した斜視図である。
【００３６】
図を参照して、浴室用椅子１０は木製材料よりなり、水平方向に配置された平板状のベース体２９と、ベース体２９の下部に垂直方向に接続された一対の直方体形状の脚部２１ａ及び２１ｂとから構成される。ベース体２９の上面にはその中央部がくり抜かれて皿状の溝よりなる座部１４が形成され、その周囲が座枠１６を構成する。座部１４は、ほぼ平坦な底面部３５と、底面部３５の後縁から立上る背面部３４と、底面部３５の両側縁から立上る側面部３３ａ及び３３ｂと、底面部３５の前縁から立上る前面部３６とから構成される。尚、底面部３５には、先の実施の形態と同様に、所定の大きさの一対の開口１７ａ及び１７ｂがベース体２９を貫通するように形成されている。
【００３７】
使用時には、湯をベース体２９の上面に注ぎ、その後臀部を座部１４に入れて腰掛けるようにすれば良い。木製材料は湯等を浸み込ませる半透水性の性質があるが、通常凹みや溝等に湯等が注がれると一定時間は保持されるものである。又、開口１７ａ及び１７ｂは、そこからの湯等の排出は緩やかに進行する程度の大きさに設定されているので、所定時間内は湯の少なくとも一部は座部１４に保持されることになる。この間に座部１４に腰掛けると、臀部によって開口１７ａ及び１７ｂが塞がれ、臀部周りの湯の保持状態が維持される。
【００３８】
使用が終了すると、開口１７ａ及び１７ｂが臀部による塞ぎから開放されるので、座部１４内に溜まった湯は完全に排水されることになる。
【００３９】
上述のように、この実施の形態による浴室用椅子１０は木製材料の加工だけで製造できるため、簡易な構造となりコスト的にも有利な椅子となる。又、従来の木製の浴室用椅子の表面を加工してこの実施の形態のように使用することもできる。
【００４０】
尚、上記の各実施の形態では、開口を排出制御手段としているが、開閉自在の蓋等としてもよい。
【００４１】
更に、上記の各実施の形態では、開口は１対の円形状で形成されているが、使用時に臀部で塞ぐことができる位置、形状及び大きさで１つ以上形成されていればよい。
【００４２】
更に、上記の各実施の形態では、開口は底面部に形成されているが、使用時に臀部で塞ぐことができる位置で形成され、不使用時には湯等がすべて排出する位置に形成されていればよい。
【００４３】
更に、上記の各実施の形態では、座部に一杯に注がれた湯等が完全に排出するのに５〜１０秒かかるとあるが、完全に排出さえすれば、５〜１０秒以外でもよい。
【００４４】
更に、上記の各実施の形態では、浴室用椅子は平面視長方形と形成されているが、平面視楕円形若しくは円形としてもよく、座部もこれに合わせた形状としてもよい。
【００４５】
更に、上記の第１の実施の形態では、非透水性材料として合成樹脂で構成されているが、合成樹脂以外の金属としてもよい。
【００４６】
更に、上記の第１の実施の形態では、足乗せ部が形成されているが、足乗せ部はなくてもよい。
【００４７】
更に、上記の第２の実施の形態では、木製を半透水性材料として使用しているが、この発明においては、注いだ湯等を一部吸収しても一定時間表面に残りを保持できる材料を半透水性材料とするものである。従って、合成樹脂自体は非透水性材料であったとしても、微細穴付合成樹脂を半透水性材料として用いてもよい。
【図面の簡単な説明】
【００４８】
【図１】この発明の第１の実施の形態による浴室用椅子の外観形状を示した斜視図である。
【図２】図１で示した浴室用椅子の平面図である。
【図３】図１で示した浴室用椅子の正面図である。
【図４】図２で示したＩＶ−ＩＶラインの断面図である。
【図５】図２で示したＶ−Ｖラインの断面図である。
【図６】この発明の第１の実施の形態による浴室用椅子の使用状態を説明するための図５に対応した断面図であって、その（１）は、使用前に座部に湯等を注いだときの状態を示した図であり、その（２）は、浴室用椅子を使用している状態を示した図である。
【図７】この発明の実施の形態による浴室用椅子の使用状態を説明するための図４に対応した断面図であって、浴室用椅子を使用している状態を示した図である。
【図８】この発明の第２の実施の形態による浴室用椅子の外観形状を示した斜視図である。
【図９】従来の浴室用椅子の外観形状を示した斜視図である。
【符号の説明】
【００４９】
１０，３０…浴室用椅子
１４，３７…座部
１７，３８…開口
１９…足乗せ部
２３，３３…側面部
２４，３４…背面部
２５，３５…底面部
２６，３６…前面部
２９…ベース体
尚、各図中の同一符号は同一または相当部分を示す。
【図１】
2008212507.tif 000003
【図２】
2008212507.tif 000004
【図３】
2008212507.tif 000005
【図４】
2008212507.tif 000006
【図５】
2008212507.tif 000007
【図６】
2008212507.tif 000008
【図７】
2008212507.tif 000009
【図８】
2008212507.tif 000010
【図９】
2008212507.tif 000011